(57)【要約】【課題】建物ユニットを用いてユニット建物を建築する際、ユニット建物に対する外構のデザインに一体性を持たせることができるユニット建物及び外構の構築方法を提供すること。【解決手段】ユニット建物及び外構の構築方法は、少なくともユニット建物と同じデザイン、又は少なくともユニット建物１４と略同じデザインの外構部材（例えば、支柱１３，庇１４）を用意しておいて、前記ユニット建物１４を構築する際に、前記外構部材（例えば、支柱１３，庇１４）を用いて前記ユニット建物１４に合う外構（例えばポーチ１１）を建設敷地に建設する。【選択図】図５
2007239412.tif 000002
【特許請求の範囲】
【請求項１】
少なくともユニット建物と同じデザイン、又は少なくともユニット建物と略同じデザインの外構部材を用意しておいて、前記ユニット建物を構築する際に、前記外構部材を用いて前記ユニット建物に合う外構を建設敷地に建設することを特徴とするユニット建物及び外構の構築方法。
【請求項２】
請求項１に記載のユニット建物及び外構の構築方法において、前記ユニット建物及び外構を分解して別建設敷地に移築する際に、前記外構部材は前記別建設敷地と前記ユニット建物とに合うものを再選択することを特徴とするユニット建物及び外構の構築方法。
【請求項３】
請求項１又は２に記載のユニット建物及び外構の構築方法において、前記ユニット建物を形成する建物用部材と同じ部材を用いて前記外構に用いる外構部材を形成することを特徴とするユニット建物及び外構の構築方法。
【請求項４】
請求項３に記載のユニット建物及び外構の構築方法において、前記建物用部材は建物用パネルであり、前記外構部材は前記建物用パネルと同じ部材から形成される外構部材用パネルであることを特徴とするユニット建物及び外構の構築方法。
【請求項５】
請求項４に記載のユニット建物及び外構の構築方法において、前記建物用パネルは壁パネルであり、前記外構部材用パネルは前記壁パネルと同じ部材から形成される門用パネル又は塀用パネルであることを特徴とするユニット建物及び外構の構築方法。
【請求項６】
請求項４に記載のユニット建物及び外構の構築方法において、建物用パネルは壁パネル又は天井パネルであり、前記外構部材用パネルは前記壁パネル又は天井パネルと同じ材料から形成されるパーゴラ用パネル又は回廊用パネル若しくはポーチ用パネルであることを特徴とするユニット建物及び外構の構築方法。
【請求項７】
請求項４に記載のユニット建物及び外構の構築方法において、建物用パネルは壁パネル又は床パネルであり、前記外構部材用パネルは前記壁パネル又は床パネルと同じ材料から形成されるバルコニー用パネル又は車庫用パネルであることを特徴とするユニット建物及び外構の構築方法。
【発明の詳細な説明】
【技術分野】
【０００１】
この発明は、ユニット建物及び外構の構築方法に関するものである。
【背景技術】
【０００２】
従来、建物の外構としては、建物の敷地の門やフェンス、塀等がある（例えば、特許文献１参照）。
【０００３】
しかし、一般には、ユニット建物用の建物ユニットを生産するメーカーと、建物用の外構を生産するメーカーとは異なっている。従って、従来は、顧客はユニット建物と外構を別々のメーカーのものを好みに応じて選択しているのが現状であった。
【特許文献１】特開平６−２６４６５１号公報
【発明の開示】
【発明が解決しようとする課題】
【０００４】
このため、従来は、建物ユニットを用いてユニット建物を建築する際、ユニット建物に対する外構のデザインの一体性が欠如することがあった。
【０００５】
そこで、この発明は、建物ユニットを用いてユニット建物を建築する際、ユニット建物に対する外構のデザインに一体性を持たせることができるユニット建物及び外構の構築方法を提供することを目的とするものである。
【課題を解決するための手段】
【０００６】
この目的を達成するため、請求項１の発明は、少なくともユニット建物と同じデザイン、又は少なくともユニット建物と略同じデザインの外構部材を用意しておいて、前記ユニット建物を構築する際に、前記外構部材を用いて前記ユニット建物に合う外構を建設敷地に建設するユニット建物及び外構の構築方法としたことを特徴とする。
【０００７】
また、請求項２の発明は、請求項１に記載のユニット建物及び外構の構築方法において、前記ユニット建物及び外構を分解して別建設敷地に移築する際に、前記外構部材は前記別建設敷地と前記ユニット建物とに合うものを再選択することを特徴とする。
【０００８】
更に、請求項３の発明は、請求項１又は２に記載のユニット建物及び外構の構築方法において、前記ユニット建物を形成する建物用部材と同じ部材を用いて前記外構に用いる外構部材を形成することを特徴とする。
【０００９】
また、請求項４の発明は、請求項３に記載のユニット建物及び外構の構築方法において、前記建物用部材は建物用パネルであり、前記外構部材は前記建物用パネルと同じ部材から形成される外構部材用パネルであることを特徴とする。
【００１０】
また、請求項５の発明は、請求項４に記載のユニット建物及び外構の構築方法において、前記建物用パネルは壁パネルであり、前記外構部材用パネルは前記壁パネルと同じ部材から形成される門用パネル又は塀用パネルであることを特徴とする。
【００１１】
また、請求項６の発明は、請求項４に記載のユニット建物及び外構の構築方法において、建物用パネルは壁パネル又は天井パネルであり、前記外構部材用パネルは前記壁パネル又は天井パネルと同じ材料から形成されるパーゴラ用パネル又は回廊用パネル若しくはポーチ用パネルであることを特徴とする。
【００１２】
また、請求項７の発明は、請求項４に記載のユニット建物及び外構の構築方法において、建物用パネルは壁パネル又は床パネルであり、前記外構部材用パネルは前記壁パネル又は床パネルと同じ材料から形成されるバルコニー用パネル又は車庫用パネルであることを特徴とする。
【発明の効果】
【００１３】
請求項１に記載の発明によれば、建物ユニットを用いてユニット建物を建築する際、ユニット建物に対する外構のデザインに一体性を持たせることができる。尚、この場合のユニット建物の建築には、新築及び移築（再建設）も含まれる。
【００１４】
また、請求項２の発明によれば、ユニット建物を建物ユニットに分解して移築する際に、外構部材は移築されるユニット建物と別建設敷地にあうものを選択するので、移築先でも建物・外構一体のデザインを可能にできる。
【００１５】
更に、請求項３の発明によれば、ユニット建物を形成する建物用部材と同じ部材を用いて前記外構に用いる外構部材を形成するようにしたので、材料の共通化、デティールの共通化，生産設備の共通化，生産方法の共通化が図れる。しかも、外構部材の生産設備も建物ユニットの生産設備を利用することができるので、外構部材を生産するための設備も別途設ける必要がない。この結果、外構部材の塗装も建物ユニットの生産設備を利用して行うことができる。また、この外構部材を用いた外構の施工技術も建物ユニットを用いたユニット建物の施工技術と同じ技術を適用することができるので、ユニット建物を施工する業者が建物ユニットを用いてユニット建物を施工する際に、外構部材を用いて外構を簡易且つ迅速に組み立てることができる。
【００１６】
また、請求項４の発明によれば、外構部材は建物用パネルと同じ部材から形成される外構部材用パネルとしたので、建物用パネルの材料を用いて外構用パネルを予め工場等で簡易に製造できる。
【００１７】
また、請求項５の発明によれば、外構部材用パネルは壁パネルと同じ部材から形成される門用パネル又は塀用パネルとしたので、建物用パネルの材料を用いて外構用パネルを予め工場等で簡易に製造できる。
【００１８】
また、請求項６の発明によれば、外構部材用パネルは壁パネル又は天井パネルと同じ材料から形成されるパーゴラ用パネル又は回廊用パネル若しくはポーチ用パネルとしたので、パーゴラ用パネル又は回廊用パネル若しくはポーチ用パネルを予め工場等で簡易に製造できる。
【００１９】
また、請求項７の発明によれば、外構部材用パネルは壁パネル又は床パネルと同じ材料から形成されるバルコニー用パネル又は車庫用パネルとしたので、予め工場等で簡易に製造できる。
【発明を実施するための最良の形態】
【００２０】
以下、この発明の実施の形態を図面に基づいて説明する。
[構成]
図１は、この発明に係るユニット建物及び外構の構築方法に用いる都度設計生産システムを示したものである。
【００２１】
この図１において、都度設計生産システムは、設計室Ｄｒｍに設けられ且つ演算制御回路１ａを備えるパソコン１と、演算制御回路１ａに接続された液晶表示装置等のモニター（表示手段）２と、演算制御回路１ａに接続されたハードディスク（情報記録再生手段）１ｂと、演算制御回路１ａに接続されたマウス（入力手段、操作手段）３と、演算制御回路１ａに接続されたキーボード（入力手段、操作手段）４と、演算制御回路１ａにイントラネット又はインターネット等の通信手段を介して接続された生産工場Ｆの通信端末５を有する。
【００２２】
ハードディスク１ｂには、図２に示したような都度設計生産プログラム（都度設計手段）６がインストールされている。この都度設計生産プログラム６は、ユニット建物の外観意匠を作図するための建物デザインプログラム（建物デザイン手段）６Ａと、ユニット建物の周囲の外構の外観意匠をユニット建物の外観意匠とマッチングさせて敷地上に作図するための外構デザインプログラム（外構デザイン手段）６Ｂと、ユニット建物及び外構に加えて街並みを作図する環境デザインプログラム（環境デザイン手段）６Ｃを有する。
【００２３】
建物デザインプログラム（建物デザイン手段）６Ａは、ユニット建物の外観を構築するための多数の建物ユニットの絵（又は図）を建物用外観部品として有する。この多数の建物用外観部品は、色彩やデザインを異ならせたものが多数用意されている。そして、この建物用外観部品は、マウス３やキーボード４等によりモニター２上で選択して、モニター２の敷地図上に配置できるようになっている。このようにして、図３に示したユニット建物外観７が作成される。
【００２４】
尚、建物デザインプログラム（建物デザイン手段）６Ａは、予め組み立てられた多数のユニット建物の外観を部品として有する。また、建物デザインプログラム６Ａは、建物用外観部品に対応する寸法データも有している。
【００２５】
また、外構デザインプログラム（外構デザイン手段）６Ｂは、門，塀，パーゴラ，回廊，ポーチ，バルコニー，車庫等の外構用部品を多数有する。この外構用部品は、色彩やデザインを異ならせたものが多数用意されている。そして、多数の外構用部品は、ユニット建物外観７の外観に合うものをマウス３やキーボード４等によりモニター２上で選択して、モニター２の敷地図上にユニット建物外観７に重ねて配置できるようになっている。図４は、このようにして、ユニット建物外観７に重ねてパーゴラ８，バルコニー９，車庫１０，ポーチ１１等の外構を配置した例を示したものである。
【００２６】
尚、外構デザインプログラム（外構デザイン手段）６Ｂは、多数の外構用部品を備えている以外に、マウス３やキーボード４等により外構を作図することが可能な作図プログラムを有している。
【００２７】
更に、環境デザインプログラム（環境デザイン手段）６Ｃは、ユニット建物外観７や外構及び周囲の環境に合わせるための塀１２等の外構（環境部品の一部）やプランター，植木等の環境部品を多数有する。そして、これらの環境部品は、マウス３やキーボード４等により選択して、図５のようにモニター２の敷地図上にユニット建物外観７及び外構（パーゴラ８，バルコニー９，車庫１０，ポーチ１１等）に重ねて配置できるようになっている。
【００２８】
また、建物用外観部品（建物ユニット図）には規格化されたものを用いることで、演算制御回路１ａはモニター２に表示されたユニット建物外観７に対する外構（パーゴラ８，バルコニー９，車庫１０，ポーチ１１，塀１２等）の寸法を自動的に算出できるようになっている。
【００２９】
しかも、演算制御回路１ａは、パーゴラ８，バルコニー９，車庫１０，ポーチ１１，塀１２等の外構の寸法が算出されると、この外構を構成する外構部材の寸法を算出するようになっている。
[作用]
次に、このような構成の都度設計生産システムの作用を説明する。
【００３０】
都度設計生産システムパソコン１の電源をＯＮさせ、都度設計生産プログラム（都度設計手段）６を起動させると、パソコン１の演算制御回路１ａは先ずユニット建物の外観を構築するための多数の建物ユニットの絵（図）をモニター２に上に表示させる。
【００３１】
この状態で設計者は、顧客の要望に基づいてマウス３やキーボード４等を操作し、モニター２上にユニット建物の外観を構築するための多数の建物ユニットの絵（図）から必要な建物用外観部品を選択して、選択した建物用外観部品を組み立てて図３に示したようなユニット建物外観７を作図する。尚、ユニット建物外観７は、予め組み立てられた多数のユニット建物の外観の部品から選択することもできる。
【００３２】
このユニット建物外観７の作図を終了させると、演算制御回路１ａは、門，塀，パーゴラ，回廊，ポーチ，バルコニー，車庫等の外構用部品をユニット建物外観７の側方に位置させて表示させる。設計者は、この外構用部品から必要なものをマウス３やキーボード４等を介して選択し、選択した外構用部品を図４に示したようにユニット建物外観７に重なるように配置する。例えば、図３に示したようにパーゴラ８，バルコニー９，車庫１０，ポーチ１１等の外構（図５Ａ参照）をユニット建物外観７に重ねて配置する。
【００３３】
この外構の配置を終了させると、演算制御回路１ａは、ユニット建物外観７や外構及び周囲の環境に合わせるための図５Ａの門１２，塀１２ａ等の外構（環境部品の一部）やプランター，植木等の環境部品（図示せず）をユニット建物外観７の側方に位置させて表示させる。設計者は、この門１２，塀１２ａ等の外構やプランター，植木等の環境部品から必要なものを選択して、選択した環境部品をユニット建物外観７に重ねて配置する。例えば、図５に示したように、塀１２をユニット建物外観７に重ねて配置する。
【００３４】
この環境部品の配置を終了させると、演算制御回路１ａは、ユニット建物外観７と外構（例えば、パーゴラ８，バルコニー９，車庫１０，ポーチ１１等の）との寸法比を求め、この求めた寸法比とユニット建物外観７に用いられる建物ユニット（図示せず）寸法データから外構（例えば、パーゴラ８，バルコニー９，車庫１０，ポーチ１１等の）の寸法を自動的に求める。
【００３５】
尚、図６〜図８は、上述したような手順によりユニット建物とポーチ１１とを組み合わせたデザインを用いて、設計した場合を示したものである。
【００３６】
ポーチ１１は、図６に示したように支柱（外構部材）１３と庇（外構部材）１４とをそれぞれ自動設計する。この際、演算制御回路１ａは、図３〜図５のユニット建物外観７とポーチ１１との寸法比を求め、この求めた寸法比とユニット建物外観７に用いられる建物ユニット（図示せず）寸法データからポーチ１１の寸法を自動的に求める。
【００３７】
この際、演算制御回路１ａは、支柱１３の場合、例えば支柱１３を構成する支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等を自動設計する。この際、支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等は、ユニット建物に用いる壁パネルと同じ材料を用いて設計する。
【００３８】
このようにして設計した各支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等の設計データは、演算制御回路１ａから生産工場の通信端末５に送信される。
【００３９】
そして、生産工場では、この設計データに基づいて各支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等をユニット建物に用いる壁パネルと同じ材料を用いて製造し、この製造した各支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃを図７に示したように組立てて支柱１３とすると共に、組み立てた支柱１３に塗装を施して養生させる。
【００４０】
また、庇（外構部材）１４は、図示しない複数枚の庇パネル（外構部材用パネル）を用いて形成する。この庇パネルは、ユニット建物に用いる天井パネルと同じ材料を用いて設計する。この複数枚の庇パネルの設計データも演算制御回路１ａから生産工場の通信端末５に送信される。そして、この複数枚の庇パネルも生産工場でユニット建物に用いる天井パネルと同じ材料を用いて製造して、この製造した庇パネルを組み立てて庇１４とすると共に、組み立てた庇１４に塗装を施して養生させる。
【００４１】
このようにして組み立てた支柱１３や、同様にして組み立てた庇１４等の外構部材を建物ユニット（図示せず）と共に建築現場に配送する。
【００４２】
そして、建築現場においては、配送された建物ユニット（図示せず）を用いて、ユニット建物１４を構築すると共に、ポーチ１１を構築する。
【００４３】
また、ユニット建物１４を構成する複数又は多数の建物ユニット（図示略）は工場等で製造されて大型車両で建築現場において分解可能に組み立てられているので、この建物ユニットからなるユニット建物１４は移築に適している。
【００４４】
そして、このユニット建物１４を建物ユニット分解して別建設敷地に移築する際には、ポーチ１１も支柱１３と庇１４に分解して移築する。この際、別建設敷地の広さや環境が変わるために、ユニット建物１４の外観が変わる場合には上述したような手順で外構を再度設計して製造する。
（その他）
尚、他のパーゴラ８，バルコニー９，車庫１０等の外構がある場合には、ポーチ１１の支柱１３や庇１４と同様にユニット建物に合わせて自動設計させると共に、この自動設計した設計データを演算制御回路１ａから生産工場の端末５に送信して、この設計データに基づいてパーゴラ８，バルコニー９，車庫１０等を生産工場で製造して、建築現場に配送する。
【００４５】
このパーゴラ８にはユニット建物１４（後述）の壁パネルや天井パネルと同じ材料のパネルが用いられ、バルコニー９や車庫１０にはユニット建物１４（後述）の壁パネルや床パネルと同じ材料のパネルが用いられる。尚、図示は省略したが門や塀にはユニット建物１４（後述）の壁パネルと同じ材料のパネルが用いられる一方、回廊にはユニット建物１４（後述）の壁パネルや天井パネルと同じ材料のパネルが用いられる。
【００４６】
そして、建築現場においては、配送された建物ユニット（図示せず）を用いて、ユニット建物１４を構築すると共に、パーゴラ８，バルコニー９，車庫１０等の外構を構築する。
【００４７】
上述したようにしてデザインされた他の例としては、図９（ａ），図９（ｂ）に示したようなものがある。この図９（ａ）のユニット建物１４の南正面には、バルコニー９，車庫１０，ポーチ１１等の外構がユニット建物１４と一体となるようにデザインされている。また、この図９（ｂ）のユニット建物１４の東立面には、バルコニー９，９がユニット建物１４と一体となるようにデザインされている。この際、バルコニー９，車庫１０，ポーチ１１等の外構はユニット建物の壁の色彩や形状に合う設計がされている。
【００４８】
また、図１０に示したように敷地が広く不定形な広大（異形）敷地１５にユニット建物１４を構築する場合、広大敷地１５の多数のコーナーに概略的な意味付けをするマーク１６を施して、上述したようなデザイン及び製造をし、これに基づいて建物ユニット１４や外構を構築することもできる。
【００４９】
また、狭小敷地の場合には、図１１に示したように、ユニット建物１４とポーチ１１を組み合わせた寸法納めの構え作りのデザインとすることもできる。更に、図１２に示したように敷地の北側が道路に接する北接道敷地の場合、ユニット建物１４の左前にバルコニー９を配置し、このバルコニー９の前に車庫１０を配置すると共に、車庫１０と塀１２ａとの間に門１２を配置するような構えとすることができる。
【００５０】
また、図１３に示したように、ユニット建物１４の左側の部分の１階，２階の部分に広く同じような窓１７，１８を設けた縦系と、建物ユニット１４の略中央に配置したポーチ１１とユニット建物１４に右側に配置したパーゴラ８を窓１７と略同じ高さに設定した横系とを設けることで、スマートで重厚感のある設計ができる。
【００５１】
以上説明したように、この発明の実施の形態のユニット建物及び外構の構築方法は、少なくともユニット建物と同じデザイン、又は少なくともユニット建物１４と略同じデザインの外構部材（例えば、支柱１３，庇１４）を用意しておいて、前記ユニット建物１４を構築する際に、前記外構部材（例えば、支柱１３，庇１４）を用いて前記ユニット建物１４に合う外構（例えばポーチ１１）を建設敷地に建設する。
【００５２】
この方法によれば、建物ユニットを用いてユニット建物を建築する際、ユニット建物に対する外構のデザインに一体性を持たせることができる。尚、この場合のユニット建物の建築には、新築及び移築（再建設）も含まれる。
【００５３】
また、この発明の実施の形態のユニット建物及び外構の構築方法においては、前記ユニット建物１４及び外構（例えば、ポーチ１１）を分解して別建設敷地に移築する際に、前記外構部材（例えば、支柱１３，庇１４）は前記別建設敷地と前記ユニット建物とに合うものを再選択する。
【００５４】
この方法によれば、ユニット建物を建物ユニットに分解して移築する際に、外構部材は移築されるユニット建物と別建設敷地にあうものを選択するので、移築先でも建物・外構一体のデザインを可能にできる。
【００５５】
更に、この発明の実施の形態のユニット建物及び外構の構築方法においては、前記ユニット建物１４を形成する建物用部材（壁パネル，天井パネル，床パネル等）と同じ部材を用いて前記外構（ポーチ１１）に用いる外構部材（例えば、支柱１３，庇１４）を形成する。
【００５６】
この方法によれば、ユニット建物を形成する建物用部材と同じ部材を用いて前記外構に用いる外構部材を形成するようにしたので、材料の共通化、デティールの共通化，生産設備の共通化，生産方法の共通化が図れる。しかも、外構部材の生産設備も建物ユニットの生産設備を利用することができるので、外構部材を生産するための設備も別途設ける必要がない。この結果、外構部材の塗装も建物ユニットの生産設備を利用して行うことができる。また、この外構部材を用いた外構の施工技術も建物ユニットを用いたユニット建物の施工技術と同じ技術を適用することができるので、ユニット建物を施工する業者が建物ユニットを用いてユニット建物を施工する際に、外構部材を用いて外構を簡易且つ迅速に組み立てることができる。
【００５７】
また、この発明の実施の形態のユニット建物及び外構の構築方法において、前記建物用部材は建物用パネル（図示しない壁パネル，天井パネル，床パネル等）であり、前記外構部材は前記建物用パネル（図示せず）と同じ部材から形成される外構部材用パネル（支柱パネル１３ａ，１３ａ、１３ｂ，１３ｂや、スペーサ用パネル１３ｃ）である。
【００５８】
この方法によれば、外構部材は建物用パネルと同じ部材から形成される外構部材用パネルとしたので、建物用パネルの材料を用いて外構用パネルを予め工場等で簡易に製造できる。
【００５９】
また、この発明の実施の形態のユニット建物及び外構の構築方法において、前記建物用パネルは壁パネル（図示せず）であり、前記外構部材用パネルは前記壁パネルと同じ部材から形成される門用パネル又は塀用パネル（図示せず）である。この方法によれば、外構部材用パネルは壁パネルと同じ部材から形成される門用パネル又は塀用パネルとしたので、建物用パネルの材料を用いて外構用パネルを予め工場等で簡易に製造できる。
【００６０】
また、この発明の実施の形態のユニット建物及び外構の構築方法において、建物用パネルは壁パネル又は天井パネルであり、前記外構部材用パネルは前記壁パネル又は天井パネルと同じ材料から形成されるパーゴラ用パネル（図示せず）又は回廊用パネル（図示せず）若しくはポーチ用パネル（図示せず）である。この方法によれば、外構部材用パネルは壁パネル又は天井パネルと同じ材料から形成されるパーゴラ用パネル又は回廊用パネル若しくはポーチ用パネルとしたので、パーゴラ用パネル又は回廊用パネル若しくはポーチ用パネルを予め工場等で簡易に製造できる。
【００６１】
更に、この発明の実施の形態のユニット建物及び外構の構築方法において、建物用パネルは壁パネル（図示せず）又は床パネル（図示せず）であり、前記外構部材用パネルは前記壁パネル又は床パネルと同じ材料から形成されるバルコニー用パネル（図示せず）又は車庫用パネル（図示せず）である。この方法によれば、外構部材用パネルは壁パネル又は床パネルと同じ材料から形成されるバルコニー用パネル又は車庫用パネルとしたので、予め工場等で簡易に製造できる。
【図面の簡単な説明】
【００６２】
【図１】この発明に係るユニット建物及び外構の構築方法に用いる都度設計生産システムのブロック図である。
【図２】図１の都度設計生産システムに用いるデザイン手段の説明図である。
【図３】図２のデザイン手段によりデザインされたユニット建物の外観図である。
【図４】図２のデザイン手段によりデザインされたユニット建物と外構との外観図である。
【図５】図２のデザイン手段によりデザインされたユニット建物と外構に環境部品を配置した外観図である。
【図５Ａ】（ａ）〜（ｄ）は、この発明に係る外構の一例を示す説明図である。
【図６】図１の演算制御回路により設計される外構の一例を示した説明図である。
【図７】図６の外構の製造と配送とを示す説明図である。
【図８】図７の外構を建築現場で組み立てる際の説明図である。
【図９】ユニット建物と外構との一例を示す説明図である。
【図１０】ユニット建物と外構との他の例を示す説明図である。
【図１１】ユニット建物と外構との他の例を示す説明図である。
【図１２】ユニット建物と外構との他の例を示す説明図である。
【図１３】ユニット建物と外構との他の例を示す説明図である。
【符号の説明】
【００６３】
８…パーゴラ（外構）
９…バルコニー（外構）
１０…車庫（外構）
１１…ポーチ（外構）
１２…門（外構）
１２ａ…塀（外構）
１３…支柱（外構部材）
１３ａ，１３ｂ…支柱パネル（外構部材用パネル）
１３ｃ…スペーサ用パネル（外構部材用パネル）
１４…庇（外構部材）
【図１】
2007239412.tif 000003
【図２】
2007239412.tif 000004
【図５Ａ】
2007239412.tif 000005
【図６】
2007239412.tif 000006
【図７】
2007239412.tif 000007
【図１０】
2007239412.tif 000008
【図３】
2007239412.tif 000009
【図４】
2007239412.tif 000010
【図５】
2007239412.tif 000011
【図８】
2007239412.tif 000012
【図９】
2007239412.tif 000013
【図１１】
2007239412.tif 000014
【図１２】
2007239412.tif 000015
【図１３】
2007239412.tif 000016